(57)【要約】      （修正有）【課題】不停止階からのホール呼びに対し、セキュリティを確保しつつ対応する。【解決手段】エレベーターの乗りかごの昇降動作および扉の開閉を制御する制御装置２００を備えるエレベーターにおいて、制御装置２００は、エレベーターに対するホール呼びおよびかご呼びを受け付けて登録する呼び受付部２０１と、登録された前記ホール呼びおよびかご呼びに応じてエレベーターの乗りかごを運行させる運行制御を行う運行制御部２０２と、を備え、運行制御部２０２は、予め定めた不停止階からのホール呼びである不停止階呼びが登録されると、当該不停止階呼びに対する運行制御を開始する前に登録された、停止階からのホール呼びまたは停止階へのかご呼びを含む通常呼びに対する運行制御を、不停止階呼びに対する運行制御より先に完了させることを特徴とするエレベーターを提供する。【選択図】図２
2018111590.tif 000002
【特許請求の範囲】
【請求項１】
エレベーターの乗りかごの昇降動作および扉の開閉を制御する制御装置を備えるエレベーターにおいて、
前記制御装置は、
エレベーターに対するホール呼びおよびかご呼びを受け付けて登録する呼び受付部と、
登録された前記ホール呼びおよびかご呼びに応じて前記エレベーターの乗りかごを運行させる運行制御を行う運行制御部と、を備え、
前記運行制御部は、予め定めた不停止階からのホール呼びである不停止階呼びが登録されると、当該不停止階呼びに対する運行制御を開始する前に登録された、停止階からの前記ホール呼びまたは停止階への前記かご呼びを含む通常呼びに対する運行制御を、前記不停止階呼びに対する運行制御より先に完了させること
を特徴とするエレベーター。
【請求項２】
請求項１記載のエレベーターにおいて、
前記運行制御部は、前記不停止階呼びに対する運行制御を行った後、乗りかごを所定の階床に直行させること
を特徴とするエレベーター。
【請求項３】
請求項１または２記載のエレベーターにおいて、
前記制御装置は、乗りかご内の乗客の有無を判別する乗客有無判別部をさらに備え、
前記運行制御部は、前記通常呼びに対する運行制御後、前記乗客有無判別部が乗客無し、と判別後、前記不停止階呼びに対する運行制御を行うこと
を特徴とするエレベーター。
【請求項４】
請求項３記載のエレベーターにおいて、
前記運行制御部は、前記不停止階呼びを受け付けた後であって、当該不停止階呼びに対する運行制御を開始するまでの間は、前記通常呼びのうち、前記かご呼びのみを受け付け、当該かご呼びに対する運行制御を行うこと
を特徴とするエレベーター。
【請求項５】
請求項１から４いずれか１項記載のエレベーターにおいて、
前記呼び受付部は、前記運行制御部が前記不停止階呼びに応じた運行制御を実行中、前記かご呼びを受け付けないこと
を特徴とするエレベーター。
【請求項６】
請求項１から５いずれか１項記載のエレベーターと、
情報処理装置と、を備え、
前記エレベーターは、前記情報処理装置と情報の送受信を行う通信装置をさらに備え、
前記情報処理装置は、
ユーザから到着階の指示を受け付ける指示受付部と、
前記エレベーターと情報の送受信を行う通信インタフェースと、を備え、
前記通信装置は、前記不停止階呼びが登録された場合、当該不停止階呼びが登録されたことを示す通知を、前記情報処理装置に送信するとともに、前記到着階の指示を受信し、
前記通信インタフェースは、前記通知を受信するとともに、受け付けた前記到着階を前記エレベーターに送信し、
前記運行制御部は、前記不停止階呼びに対する運行制御において、当該エレベーターの乗りかごを、前記通信装置が受信した前記到着階に直行させること
を特徴とするエレベーターシステム。
【請求項７】
請求項６記載のエレベーターシステムにおいて、
前記エレベーターは、さらに乗りかご内を撮影するカメラを備え、
前記情報処理装置は、映像を出力装置に出力する出力制御部をさらに備え、
前記指示受付部は、前記乗りかごの扉の開閉の指示をさらに受け付け、
前記通信装置は、前記カメラで撮影した映像を前記情報処理装置に送信するとともに、
前記情報処理装置から前記開閉の指示を受信し、
前記通信インタフェースは、前記映像を受信するとともに前記乗りかごの開閉の指示を前記エレベーターに送信し、
前記出力制御部は、前記通信インタフェースを介して受信した前記映像を前記出力装置に出力し、
前記運行制御部は、前記通信装置が受信した前記開閉の指示に従って、前記エレベーターの乗りかごの扉の開閉を制御すること
を特徴とするエレベーターシステム。
【請求項８】
コンピュータを、
予め定めた不停止階からのホール呼びである不停止階呼びが登録されると、当該不停止階呼びより前に登録された、停止階からのホール呼びまたは停止階へのかご呼びを含む通常呼びに対する乗りかごの運行制御を、前記不停止階呼びに対する前記乗りかごの運行制御より先に完了させる運行制御手段として機能させるためのプログラム。
【発明の詳細な説明】
【技術分野】
【０００１】
本発明は、エレベーターの運行制御技術に関し、特に、不停止階において呼び操作がなされた場合の運行制御技術に関する。
【背景技術】
【０００２】
不停止階に取り残された人物、あるいは、侵入者によりホール釦が操作された際の運行制御の先行技術として、特許文献１に開示の技術がある。特許文献１では、「不停止階にとり残された人物、あるいは侵入者を検出し、前記人物の存在を管理人に報知し、管理人が前記報知を確認した後、前記不停止階にいる人物を管理人室がある階に誘導するエレベーターの運転方式（要約抜粋）」が開示されている。
【先行技術文献】
【特許文献】
【０００３】
【特許文献１】特開平９−２１６７７３号公報
【発明の概要】
【発明が解決しようとする課題】
【０００４】
しかしながら、不停止階からのホール呼びが登録された際、それ以前に、他のサービス階へのかご呼び、および／または、他のサービス階でのホール呼びが登録され、未完了な場合がある。特許文献１に開示の技術では、このような場合、他のサービス階へのかご呼び、およびホール呼びにサービスするよう運行制御される。このため、不停止階にとり残された人物、あるいは侵入者と、他のサービス階にいる、不停止階ホール呼び以前に登録された一般のホール呼びでかごに乗り込んだ乗客とが鉢合わせになる可能性がある。
【０００５】
本発明は、上記事情に鑑みてなされたもので、不停止階からのホール呼びに対し、多様な条件下で十分なセキュリティを確保可能なエレベーターの運行制御技術を提供することにある。
【課題を解決するための手段】
【０００６】
上記目的を達成するために、本発明は、エレベーターの乗りかごの昇降動作および扉の開閉を制御する制御装置を備えるエレベーターにおいて、前記制御装置は、エレベーターに対するホール呼びおよびかご呼びを受け付けて登録する呼び受付部と、登録された前記ホール呼びおよびかご呼びに応じて前記エレベーターの乗りかごを運行させる運行制御を行う運行制御部と、を備え、前記運行制御部は、予め定めた不停止階からのホール呼びである不停止階呼びが登録されると、当該不停止階呼びに対する運行制御を開始する前に登録された、停止階からの前記ホール呼びまたは停止階への前記かご呼びを含む通常呼びに対する運行制御を、前記不停止階呼びに対する運行制御より先に完了させることを特徴とするエレベーターを提供する。
【発明の効果】
【０００７】
本発明によれば、不停止階からのホール呼びに対し、多様な条件下で十分なセキュリティを確保可能なエレベーター運行制御技術を提供できる。なお、上述した以外の課題、構成および効果は、以下の実施形態の説明により明らかにされる。
【図面の簡単な説明】
【０００８】
【図１】本発明の実施形態に係るエレベーターシステムの構成図である。
【図２】（ａ）は、本発明の実施形態に係るエレベーターの制御装置の機能ブロック図であり、（ｂ）は、本発明の実施形態に係る管理端末の機能ブロック図であり、（ｃ）は、本発明の実施形態に係る制御装置および管理端末のハードウェア構成図である。
【図３】本発明の実施形態の不停止階呼び制御のフローチャートである。
【図４】本発明の実施形態の不停止階呼び制御を説明するための説明図である。
【発明を実施するための形態】
【０００９】
以下、本発明に係る実施形態を、図に基づいて説明する。
【００１０】
本実施形態のエレベーターシステムでは、不停止階からのホール呼び（以下、不停止階呼びと呼ぶ。）を受けた際、当該不停止階呼びより前に登録された、通常のかご呼びや不停止階以外からのホール呼び（以下、通常呼びと呼ぶ。）に対するサービスを、不停止階呼びに対するサービスより先に完了させる。そして、乗りかご内の乗客が全員乗りかごから降りた後に、不停止階呼びに対するサービス（以下、不停止階呼び制御と呼ぶ。）を行う。不停止階呼び制御では、乗りかごを、不停止階呼びがなされた不停止階へ直行させ、当該階床で乗客が搭乗後、乗りかごを、予め定めた階床に直行させる。
【００１１】
以下、上記制御を実施するエレベーターシステム４００について、図面を用いて説明する。
【００１２】
図１は、本実施形態のエレベーターシステム４００の概略構成図である。本図に示すように、本実施形態のエレベーターシステム４００は、エレベーター１００と、管理端末３００とを備える。
【００１３】
まず、エレベーター１００の概略構成を、図１を用いて説明する。ここでは、一例として５階建ての建物に設置されたエレベーター１００を示す。
【００１４】
本実施形態のエレベーター１００は、乗りかご１０１と、図示しない綱車を駆動させるモータ１０２と、反らせ車１０３と、主ロープ１０４と、吊り合い重り１０５と、図示しない通信線にてエレベーター１００全体の動作を制御する制御装置２００と、エレベーター１００と外部装置との間で、図示しない通信線を介して情報を送受信する通信装置１０７と、を備える。本実施形態の制御装置２００は、乗りかご１０１の昇降動作や乗りかご１０１の扉の開閉を制御する。
【００１５】
また、乗りかご１０１内の乗客の有無を検出する乗客検出装置１２１と、乗りかご１０１内を撮影するカメラ１２２と、乗りかご１０１内に設置されたかご内呼び釦（以下、かご釦と呼ぶ。）１２３と、を備える。乗りかご１０１内の乗客は、かご釦１２３にて所望の階床を指示することにより、かご呼びを行う。
【００１６】
カメラ１２２で撮影された映像（画像）は、通信装置１０７を介して、管理端末３００へ送信される。乗客検出装置１２１は、例えば、荷重検出装置、人感センサ等とする。なお、荷重検出装置は、例えば、エレベーター１００に定格積載以上の負荷がかかることを防止するために、乗りかご１０１の荷重を検出する装置である。本実施形態では、例えば、この荷重検出装置からの出力の変化を監視することにより、乗客の有無を検出する。乗客検出装置１２１の検出結果は、制御装置２００へ出力される。なお、カメラ１２２で撮影した画像を処理し、乗客の有無を判別してもよい。この場合、乗客検出装置１２１は、備えなくてもよい。
【００１７】
また、エレベーター１００は、各階の乗り場（ホール）に、ホール釦１１０を備える。ホールにいる乗客１３０は、ホール釦１１０にて、ホール呼びを行う。ここでは、例えば、５階乗場に設置された５階ホール釦１１５と、４階乗場に設置された４階ホール釦１１４と、３階乗場に設置された３階ホール釦１１３と、２階乗場に設置された２階ホール釦１１２と、１階乗場に設置された１階ホール釦１１１とを備える。
【００１８】
なお、制御装置２００とエレベーター１００の各部との間の通信線および通信装置１０７と外部装置との間の通信線は、有線、無線を問わない。外部装置との間の通信は、ネットワークを介したものであってもよい。
【００１９】
本実施形態では、上述のように、不停止階呼びがなされた場合、特別な運行制御として不停止階呼び制御を行う。この不停止階呼び制御は、主として制御装置２００により実現される。以下、不停止階呼び制御を実現する制御装置２００の構成について説明する。
【００２０】
図２（ａ）は、制御装置２００の、不停止階呼び制御に係る機能を説明するための機能ブロック図である。本図に示すように、制御装置２００は、呼び受付部２０１と、運行制御部２０２と、乗客有無判別部２０３と、を備える。
【００２１】
呼び受付部２０１は、エレベーター１００に対するホール呼びおよびかご呼びの登録を受け付ける。上述のように、ホール呼びは、ホール釦１１０を介して、かご呼びは、かご釦１２３を介して、それぞれなされる。呼び受付部２０１は、例えば、受け付けたホール呼びおよびかご呼びを、受付順にリスト化し、呼びリストとして保持する。
【００２２】
乗客有無判別部２０３は、エレベーター１００の乗りかご１０１内の乗客の有無を検出する。本実施形態では、乗客検出装置１２１の出力に従って、判別する。また、例えば、乗客検出装置１２１の代わりに、カメラ１２２を用いる場合、乗客有無判別部２０３は、カメラ１２２が取得した画像を処理し、乗客の有無を判別する。
【００２３】
運行制御部２０２は、受け付けたホール呼びおよび／またはかご呼びに応じて、乗りかご１０１を運行させるようモータ１０２に指示を出す。本実施形態では、登録された呼びリストに従って、予め定めたアルゴリズムでサービスが実現されるよう、乗りかご１０１の運行を制御する。以下、ホール呼びおよび／またはかご呼びに応じて予め定めたサービスが実現されるよう乗りかご１０１の運行を制御することを、乗りかご１０１の運行制御と呼ぶ。
【００２４】
本実施形態の運行制御部２０２は、不停止階呼びを受け付けた場合、予め定めた不停止階呼び制御を行う。また、運行制御部２０２は、不停止階呼びが登録された場合、管理端末３００へ、その旨通知する。
【００２５】
運行制御部２０２は、不停止階呼び制御として、上述のように、通常呼びに対する運行制御を、不停止階呼びに対する運行制御に優先して行う。また、運行制御部２０２は、不停止階呼びに対しては、乗りかご１０１を所定の階床へ直行させるよう運行制御する。この階床は、例えば、管理人室３１０のある階等、予め定めておいてもよい。また、管理端末３００を介して、管理人３１１から指定を受けてもよい。
【００２６】
また、不停止階呼び制御において、運行制御部２０２は、不停止階呼びを受け、当該不停止階から、不停止階に取り残された人物、あるいは侵入者が乗りかご１０１に乗った後は、かご釦１２３およびホール釦１１０を無効としてもよい。従って、この場合、呼び受付部２０１は、かご呼びおよびホール呼びを受け付けない。
【００２７】
さらに、不停止階呼びに対して、乗りかご１０１の扉の開閉を、通常とは異なる制御としてもよい。例えば、不停止階呼び制御時は、乗客１３０が不停止階から乗りかご１０１に乗った後の扉の開閉については、管理端末３００からの指示に従って行うよう構成してもよい。
【００２８】
運行制御部２０２による不停止階呼び制御の詳細は、後述する。
【００２９】
次に、管理端末３００について、その概略構成を、図１および図２（ｂ）を用いて説明する。管理端末３００は、例えば、エレベーター１００とは別に設けられた管理人室３１０内に配置される。管理端末３００は、一般の情報処理装置、あるいは、携帯型端末とする。携帯型端末の場合、管理人３１１が所持する。
【００３０】
管理端末３００は、エレベーター１００から、不停止階呼びがあった旨の通知を受けると、管理人３１１に報知する。管理人３１１は、その通知を受け、例えば、乗りかご１０１を直行させる階床を指定する。また、不停止階呼びがあった旨の通知を受けた後、受信した乗りかご１０１内のカメラ画像（映像）をディスプレイ等に表示させ、管理人３１１に乗りかご１０１内の映像（画像）を提示する。管理人３１１は、乗りかご１０１内の映像（画像）を見、不停止階呼びを行った乗客１３０が、取り残された乗客であるか、侵入者、不審者である可能性があるかを判別し、扉の開閉の指示を行う。
【００３１】
上記機能を実現するため、本実施形態の管理端末３００は、ユーザである管理人３１１からの指示を受け付ける指示受付部３０１と、外部との通信を行う通信インタフェース（Ｉ／Ｆ）３０２と、通信Ｉ／Ｆ３０２を介して受信した情報を処理し、出力装置に出力する出力制御部３０３と、管理端末３００全体の制御を行う端末制御部３０４と、を備える。出力装置は、例えば、ディスプレイ、スピーカ、ライト等である。
【００３２】
指示受付部３０１は、本実施形態では、例えば、管理人３１１から、乗りかご１０１を直行させる階床として到着階の指定を受け付ける。また、乗りかご１０１の扉の開閉の指示を受け付ける。指示は、例えば、タッチパネル、キーボード、マウス等の操作装置を介して受け付ける。指示受付部３０１で受け付けた指示は、通信Ｉ／Ｆ３０２を介して、エレベーター１００に送信される。エレベーター１００では、通信装置１０７を介して、当該指示を受信し、制御装置２００で処理される。
【００３３】
出力制御部３０３は、通信Ｉ／Ｆ３０２を介して、例えば、不停止階呼びがあった旨の通知を受け取ると、出力装置にその旨出力し、管理人３１１に不停止階呼びがあったことを通知する。この場合、例えば、スピーカに音声で出力する、ディスプレイに表示する、ライトを点滅させる等する。また、例えば、カメラ画像を受け取ると、ディスプレイに表示させる。
【００３４】
制御装置２００と、管理端末３００とは、例えば、図２（ｃ）に示すように、ＣＰＵ５０１とメモリ５０２と記憶装置５０３と通信Ｉ／Ｆ５０４とを備える情報処理装置で実現される。上記各機能は、ＣＰＵ５０１が、予め記憶装置５０３に格納されたプログラムをメモリ５０２にロードして実現する。また、処理に必要な各データおよび処理により生成された各データは、メモリ５０２または記憶装置５０３に格納される。さらに、各機能は、それぞれ、回路等のハードウェアにより実現されてもよい。
【００３５】
次に、本実施形態の制御装置２００による、不停止階呼び制御の流れの一例を、図３の処理フローに従って説明する。なお、乗りかご１０１内のカメラ画像は、常に、管理端末３００に送信されているものとする。
【００３６】
運行制御部２０２は、通常の制御を行いながら、不停止階呼びの有無を監視する（ステップＳ１１０１）。ここでは、所定の時間間隔で、呼び受付部２０１で不停止階呼びを受け付け、呼びリストに登録されたか否かを監視する。
【００３７】
不停止階呼びがあった場合、運行制御部２０２は、通常呼びの有無を判別する（ステップＳ１１０２）。ここでは、例えば、未処理の通常呼びが、呼びリストに登録されているか否かを判別する。
【００３８】
未処理の通常呼びある場合は（Ｓ１１０２／Ｙｅｓ）、運行制御部２０２は、未処理の通常呼びに対し、運行制御を行う（ステップＳ１１０３）。このとき、運行制御部２０２は、不停止階呼びに対する運行制御は行わない。
【００３９】
呼びリストに登録されている通常呼びに対する処理が全て完了した場合（Ｓ１１０２／Ｎｏ）、運行制御部２０２は、乗りかご１０１内の乗客の有無を判別する（ステップＳ１１０４）。判別は、乗客検出装置１２１の出力を用いて行う。
【００４０】
かご内の乗客有りと判別された場合（Ｓ１１０４／Ｙｅｓ）、ステップＳ１１０３へ移行し、運行制御を行う。すなわち、呼びの登録は無いが、乗りかご１０１内に乗客がいる場合の、通常の運行制御を行う。これは、例えば、複数の乗客が乗りかご１０１に乗車し、呼びを行い忘れている乗客がいる場合等である。この場合に行われる運行制御は、例えば、管理人３１１のいる階まで、乗りかご１０１を走行させる、乗りかご１０１の扉を開く、乗りかご１０１内の乗客にかご呼びを促すよう発報する、等である。かご呼びがなされた場合、それを受け付け、残された乗客を目的階まで運ぶよう制御を行う。
【００４１】
このように、運行制御部２０２は、不停止階呼びを受け付けた後であって、その不停止階呼びに対する運行制御を開始するまでの間は、通常のかご呼びのみを受け付け、そのかご呼びに対する運行制御を優先的に行う。この間、ホール呼びは受け付けない。
【００４２】
一方、かご内の乗客無し、と判別された場合（Ｓ１１０４／Ｎｏ）、以下のＳ１１０５からＳ１１１０の不停止階運行制御を行う。すなわち、運行制御部２０２は、まず、通信装置１０７を介して、管理端末３００に、不停止階呼びがあったことを通知する（ステップＳ１１０５）。
【００４３】
運行制御部２０２は、管理端末３００から到着階の指定を受け付けたか否かを判別する（ステップＳ１１０６）。上述のように、管理端末３００では、不停止階呼びがあったとの通知を受けると、出力制御部３０３は、当該通知があったことを管理人３１１に報知する。それを受け、管理人３１１は、必要に応じて到着階指定を行う。
【００４４】
運行制御部２０２は、所定時間内に到着階の指定を受け付けた場合（Ｓ１１０６／Ｙｅｓ）、指定を受け付けた到着階まで、乗りかご１０１を直行させる（ステップＳ１１０７）。
【００４５】
一方、受け付けなかった場合（Ｓ１１０６／Ｎｏ）、運行制御部２０２は、予め定めた階まで、乗りかご１０１を直行させる（ステップＳ１１０８）。
【００４６】
次に、運行制御部２０２は、扉を開く指示を受け付けたか否かを判別する（ステップＳ１１０９）。扉を開く指示を受け付けた場合は、扉を開き（ステップＳ１１１０）、不停止階呼び制御処理を終了する。その後、運行制御部２０２は、ステップＳ１１０１へ戻り、通常の制御を継続しつつ、不停止階呼びの有無を監視する。
【００４７】
なお、上記実施形態では、不停止階呼び制御時は、乗りかご１０１が到着階に到着した際、初期設定として乗りかご１０１の扉を開かないものとし、指示を受け付けた場合のみ開くよう構成している。しかしながら、制御はこれに限定されない。例えば、初期設定として、到着階に到着時に扉が開くものとし、扉を開けないよう指示を受け付けた場合のみ、扉を開けないよう構成してもよい。また、必ず、開閉いずれかの指示を受け、それに応じて扉の開閉を行うよう構成してもよい。
【００４８】
以上説明したように、本実施形態によれば、運行制御部２０２は、予め定めた不停止階からのホール呼びである不停止階呼びが登録されると、当該不停止階呼びに対する運行制御を開始する前に登録された、停止階からの前記ホール呼びまたは停止階への前記かご呼びを含む通常呼びに対する運行制御を、前記不停止階呼びに対する運行制御より先に完了させる。
【００４９】
このため、本実施形態によれば、停止階に取り残された人物、あるいは、侵入者（以下、不停止階人物と総称する）を、他のサービス階（停止階）に降ろしてしまうことがない。また、不停止階人物と、停止階の乗客とが鉢合わせになることもない。従って、ホール呼びやかご呼びの順序によらず、高いセキュリティを確保可能な、不停止階呼び制御を実現できる。
【００５０】
このとき、本実施形態によれば、運行制御部２０２は、不停止階呼びが登録された場合、乗りかご１０１を、例えば、管理人室３１０のある階等、予め定めた階床に直行させてもよい。このため、より確実に、不停止階人物を、他のサービス階（停止階）に降ろしてしまうことを防ぐことができる。
【００５１】
また、本実施形態によれば、乗りかご１０１内の乗客の有無を判別する乗客有無判別部２０３をさらに備え、運行制御部２０２は、通常呼びへの運行制御後、乗客有無判別部２０３が乗客無し、と判別後、不停止階呼び制御を行う。このため、本実施形態によれば、より確実に、不停止階人物と、停止階の乗客との鉢合わせを回避できる。
【００５２】
運行制御部２０２が不停止階制御中、かご釦１２３を無効とし等してもよい。すなわち、呼び受付部２０１が、運行制御部２０２が不停止階呼び制御中、かご呼びを受け付けないよう構成してもよい。あるいは、かご釦１２３のランプは付けるがサービスは行わない、不停止階制御後に受け付けた階へのサービスを行う等の制御を行うよう構成してもよい。これにより、より確実に、不停止階人物を、他のサービス階（停止階）に降ろしてしまうことを防ぐことができる。
【００５３】
不停止階呼びが登録された場合、通信装置１０７を介して、当該不停止階呼びが登録されたことを示す通知を、管理端末３００に送信するよう構成してもよい。そして、管理端末３００側では、その通知を受信して、管理人３１１に報知してもよい。そして、管理端末３００では、管理人３１１から、停止階の指示を受け付け、エレベーター１００に送信してもよい。そして、エレベーター１００側では、停止階の指示を受け、運行制御部２０２が、指定された階に乗りかご１０１を直行させてもよい。
【００５４】
例えば、管理人は、かならずしも管理人室にいるとは限らない。従って、不停止階制御時、乗りかご１０１を、常に管理人室３１０のある階に誘導する場合、管理人が不停止階から搭乗した人物と会えない可能性がある。この場合、侵入者を管理人が確認せずにエレベーターから降ろしてしまう可能性がある。
【００５５】
しかしながら、本実施形態によれば、上記構成を有することにより、管理人３１１は、通知を受けた時点で自身がいる最寄階を指定することにより、そこに乗りかご１０１を直行させることができる。例えば、図４に示すように、５階が不停止階に設定され、管理人３１１が見回り等に出かけ、管理人室３１０とは異なる階（図４では、２階）にいる場合、管理人３１１がいる２階に、乗りかご１０１を直行させることができる。これにより、管理人３１１が、確実に、不停止階人物に合うことができる。
【００５６】
また、不停止階制御時、カメラ１２２で撮影した、乗りかご１０１内の映像を、管理端末３００に送信し、管理端末３００側で表示するよう構成してもよい。さらに、管理端末３００側で、映像を見た管理人３１１が、乗りかご１０１の扉の開閉の指示を行い、エレベーター１００に送信するよう構成してもよい。そして、運行制御部２０２では、不停止階制御時、管理端末３００からの指示に従って、乗りかご１０１の扉の開閉を行ってもよい。
【００５７】
管理端末３００に、乗りかご１０１内の映像を提供することにより、管理人３１１が、不停止階人物が取り残された人物であるか、侵入者であるか判断することを支援できる。そして、管理人３１１は、映像情報に基づき、扉の開閉を指示するため、管理人３１１の安全を確保できる。
【００５８】
また、扉を開かない場合、すなわち、不停止階呼びを行い、乗りかご１０１に乗った乗客が、不審者であると、管理人３１１が判断した場合、管理人３１１は、警察や管理会社に通報できる。これにより、さらに強固なセキュリティを構築できる。
【００５９】
以上説明したように、本実施形態によれば、不停止階からのホール呼びに対し、高いセキュリティを確保しつつ、対応できる。また、この対応を、新たなハードウェア構成の追加無しに実現できる。
【００６０】
なお、本発明のエレベーターおよびエレベーターシステムは、上記実施形態での開示に限定されない。例えば、上記実施形態では、不停止階呼びを受け、当該不停止階から乗客が乗りかご１０１に乗った後、ホール釦１１０も無効としているが、これに限定されない。例えば、登録のみ受け付け、不停止階呼び制御完了後、当該ホール釦１１０に応じて運行制御するよう構成してもよい。
【符号の説明】
【００６１】
１００…エレベーター、１０１…乗りかご、１０２…モータ、１０３…車、１０４…主ロープ、１０５…吊り合い重り、１０７…通信装置、１１０…ホール釦、１２１…乗客検出装置、１２２…カメラ、１２３…かご釦、１３０…乗客、
２００…制御装置、２０１…呼び受付部、２０２…運行制御部、２０３…乗客有無判別部、
３００…管理端末、３０１…指示受付部、３０２…通信Ｉ／Ｆ、３０３…出力制御部、３０４…端末制御部、３１０…管理人室、３１１…管理人、
４００…エレベーターシステム、５０１…ＣＰＵ、５０２…メモリ、５０３…記憶装置、５０４…通信Ｉ／Ｆ
【図１】
2018111590.tif 000003
【図２】
2018111590.tif 000004
【図３】
2018111590.tif 000005
【図４】
2018111590.tif 000006